(57)【要約】【課題】熱の発生を適切に制御可能な光発光装置及びそれを備えた撮影装置を提供する。【解決手段】本発明の光発生装置（３００）は、撮影光学系（２７０）を合焦させるための光を発生させる光発生部（３２０）と、前記光発生部（３２０）から発生する光を透過させる光透過部材（３３０）と、前記光透過部材（３３０）に取り付けられ前記光透過部材（３３０）の温度を検出する温度センサ（３４０）と、前記温度センサ（３４０）で検出される温度に基づいて、前記光発生部（３２０）から発生する光を制御する制御部（１６０）とを有することを特徴とする。【選択図】図２
2010134112.tif 000002
【特許請求の範囲】
【請求項１】
撮影光学系を合焦させるための光を発生させる光発生部と、
前記光発生部から発生する光を透過させる光透過部材と、
前記光透過部材に取り付けられ前記光透過部材の温度を検出する温度センサと、
前記温度センサで検出される温度に基づいて、前記光発生部から発生する光を制御する制御部とを有することを特徴とする光発生装置。
【請求項２】
請求項１に記載された光発生装置であって、
前記制御部は、前記温度センサで検出される温度に基づいて、前記光発生部から発生する光が少なくなるように制御を行うことを特徴とする光発生装置。
【請求項３】
請求項２に記載された光発生装置であって、
前記制御部が前記光発生部から発生する光が少なくなるように制御を行う前に警告をする警告部を有することを特徴とする光発生装置。
【請求項４】
請求項１から請求項３までの何れか１項に記載された光発生装置であって、
前記光発生部と前記光透過部材との間に備えられ、前記光透過部材の少なくとも一部に前記光発生部から発生する光を入射させない第１部材を有し、
前記温度センサは、前記光透過部材の前記光発生部から発生する光が入射しない部分に備えられていることを特徴とする光発生装置。
【請求項５】
請求項１から請求項４までの何れか１項に記載された光発生装置を有することを特徴とする撮影装置。
【請求項６】
請求項５に記載された撮影装置であって、
前記撮影光学系を通過する光を絞る絞り部を有し、
前記制御部は、前記温度センサで検出される温度が高くなったとき、前記絞り部を絞るように制御を行うことを特徴とする撮影装置。
【請求項７】
請求項５又は請求項６に記載された撮影装置であって、
前記光発生部から発生する光を用いて前記撮影光学系が合焦するように制御を行う合焦制御部を有し、
前記制御部は、前記温度センサで検出される温度に基づいて、前記合焦制御部の制御を変更させることを特徴とする撮影装置。
【請求項８】
請求項７に記載された撮影装置であって、
前記合焦制御部は、前記光発生部から発生する光を用いて前記撮影光学系が合焦するように制御する第１制御と、前記第１制御よりも少ない量の前記光発生部から発生する光を用いて前記撮影光学系が合焦するように制御する第２制御とに切り替えが可能であり、前記温度センサで検出される温度が高くなったとき、前記第２制御に切り替わることを特徴とする撮影装置。
【発明の詳細な説明】
【技術分野】
【０００１】
本発明は、光発生装置及びそれを備えた撮影装置に関する。
【背景技術】
【０００２】
カメラ等の撮影装置においては、被写体輝度が低い場合に光被写体に補助光を照射し、その反射光を撮像部で撮像することによってＡＦ（オートフォーカス）の精度を上げるＡＦ補助光発生装置を備えるものがある。ＡＦ補助光発生装置は、このようにＡＦの精度を上げるものであるが、補助光の照射を繰り返すと、補助光発生部（高輝度ＬＥＤなど）が発熱するとともに、補助光が通過する透明のカバー部分等も高温になる。
【０００３】
カバー部分が高温になると、撮影者は、このカバー部分に触れた場合に不快に感じる可能性がある。このため、従来、補助光発生部の温度を検出し、所定温度以上になった場合に発光量を制御する技術が開発されている（例えば、特許文献１参照）
【特許文献１】特開２００３−５０２３号公報
【発明の開示】
【発明が解決しようとする課題】
【０００４】
本発明が解決しようとする課題は、熱の発生を適切に制御可能な光発光装置及びそれを備えた撮影装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、撮影光学系（２７０）を合焦させるための光を発生させる光発生部（３２０）と、前記光発生部（３２０）から発生する光を透過させる光透過部材（３３０）と、前記光透過部材（３３０）に取り付けられ前記光透過部材（３３０）の温度を検出する温度センサ（３４０）と、前記温度センサ（３４０）で検出される温度に基づいて、前記光発生部（３２０）から発生する光を制御する制御部（１６０）とを有することを特徴とする光発生装置（３００）である。
請求項２に記載の発明は、請求項１に記載された光発生装置（３００）であって、前記制御部（１６０）は、前記温度センサ（３４０）で検出される温度に基づいて、前記光発生部（３２０）から発生する光が少なくなるように制御を行うことを特徴とする光発生装置（３００）である。
請求項３に記載の発明は、請求項２に記載された光発生装置（３００）であって、前記制御部（１６０）が前記光発生部（３２０）から発生する光が少なくなるように制御を行う前に警告をする警告部（３７０）を有することを特徴とする光発生装置（３００）である。
請求項４に記載の発明は、請求項１から請求項３までの何れか１項に記載された光発生装置（３００）であって、前記光発生部（３２０）と前記光透過部材（３３０）との間に備えられ、前記光透過部材（３３０）の少なくとも一部に前記光発生部（３２０）から発生する光を入射させない第１部材（３１２）を有し、前記温度センサ（３４０）は、前記光透過部材（３３０）の前記光発生部（３２０）から発生する光が入射しない部分に備えられていることを特徴とする光発生装置（３００）である。
請求項５に記載の発明は、請求項１から請求項４までの何れか１項に記載された光発生装置（３００）を有することを特徴とする撮影装置（１００）である。
請求項６に記載の発明は、請求項５に記載された撮影装置（１００）であって、前記撮影光学系（２７０）を通過する光を絞る絞り部を有し、前記制御部（１６０）は、前記温度センサ（３４０）で検出される温度が高くなったとき、前記絞り部を絞るように制御を行うことを特徴とする撮影装置（１００）である。
請求項７に記載の発明は、請求項５又は請求項６に記載された撮影装置（１００）であって、前記光発生部（３２０）から発生する光を用いて前記撮影光学系（２７０）が合焦するように制御を行う合焦制御部（１６０）を有し、前記制御部（１６０）は、前記温度センサ（３４０）で検出される温度に基づいて、前記合焦制御部（１６０）の制御を変更させることを特徴とする撮影装置（１００）である。
請求項８に記載の発明は、請求項７に記載された撮影装置（１００）であって、前記合焦制御部（１６０）は、前記光発生部（３２０）から発生する光を用いて前記撮影光学系（２７０）が合焦するように制御する第１制御と、前記第１制御よりも少ない量の前記光発生部（３２０）から発生する光を用いて前記撮影光学系（２７０）が合焦するように制御する第２制御とに切り替えが可能であり、前記温度センサ（３４０）で検出される温度が高くなったとき、前記第２制御に切り替わることを特徴とする撮影装置（１００）である。
なお、符号を付して説明した構成は、適宜改良してもよく、また、少なくとも一部を他の構成物に代替してもよい。
【発明の効果】
【０００６】
本発明によれば、補助光発光による熱の発生を適切に制御可能な光発光装置及びそれを備えた撮影装置を提供することができる。
【発明を実施するための最良の形態】
【０００７】
（第１実施形態）
以下、本発明の第１実施形態を図面に基づいて説明する。なお、以下に示す各図には、説明と理解を容易にするために、ＸＹＺ直交座標系を設けた。この座標系では、撮影者が光軸Ｌ１を水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００８】
図１は第１実施形態に係る一眼レフデジタルカメラシステム１を示すブロック図である。本実施形態の一眼レフデジタルカメラシステム１（以下、単にカメラシステム１という）は、カメラ１００とレンズ鏡筒２００とを備え、カメラ１００とレンズ鏡筒２００とはマウント部４００により着脱可能に結合されている。
【０００９】
レンズ鏡筒２００は、フォーカスレンズ２１１やズームレンズ２１２を含むレンズ群２１０及び絞り装置２２０などからなる撮影光学系２７０、並びに、これらの駆動制御のためのエンコーダ２６０、レンズ駆動モータ２３０、絞り駆動部２４０及びレンズ制御部２５０を備える。フォーカスレンズ２１１は、その光軸Ｌ１に沿って移動可能に設けられ、エンコーダ２６０によってその位置が検出されつつレンズ駆動モータ２３０によってその位置が調節される。絞り装置２２０は、上記撮影光学系を通過して撮像素子１１０に至る光束の光量を制限するために、光軸Ｌ１を中心にした開口径が調節可能に構成されている。
【００１０】
カメラ１００は、図１に示すように、被写体からの光束を撮像素子１１０、シャッタ１１１、ファインダ１３５、測光センサ１３７、焦点検出部１９０へ導くためのクイックリターンミラー１２０、ＡＦ補助光発生装置３００、及びこれらを全体的に制御するカメラ制御部１６０を備える。
【００１１】
図１には、クイックリターンミラー１２０が被写体の観察位置にある状態を実線で示し、被写体の撮影位置にある状態を二点鎖線で示す。クイックリターンミラー１２０は、被写体の観察位置にある状態では光軸Ｌ１の光路上に挿入され、被写体の撮影位置にある状態では光軸Ｌ１の光路から退避するように回転する。
【００１２】
クイックリターンミラー１２０が被写体の観察位置にある状態において、被写体からの光束（光軸Ｌ１）の一部の光束（光軸Ｌ２，Ｌ３）は、当該クイックリターンミラー１２０で反射してファインダ１３５及び測光センサ１３７へ導かれる。一方、撮影者がレリーズボタンを押すとクイックリターンミラー１２０が撮影位置に回転し、被写体からの光束（光軸Ｌ１）は撮像素子１１０へ導かれ、撮影した画像データは図示しないメモリに保存される。
【００１３】
また、クイックリターンミラー１２０は、クイックリターンミラー１２０の回転に合わせて回転するサブミラー１２２を備え、サブミラー１２２により、被写体からの光束（光軸Ｌ１）の一部が焦点検出部１９０に導かれる。
【００１４】
焦点検出部１９０は、被写体観察時に、サブミラー１２２から導かれた被写体からの光束の一部に基づいて、撮影光学系２７０の焦点調節状態を検出する。焦点検出部１９は、サブミラー１２２から導かれた被写体光をマスク（図示せず）により２つに分けた後、２つのラインセンサ（図示せず）上に再結像させ、ラインセンサ上の像の相対的なずれ量（位相差）を算出することにより、撮影光学系２７０の焦点調節状態を検出する。検出された焦点調節状態に関する情報は、カメラ制御部１６０に伝達され、レンズ制御部２５０に伝達される。レンズ制御部２５０はその焦点調節状態をもとに、レンズ駆動モータ２３０によりレンズ群２１０を駆動する。
【００１５】
撮像素子１１０は、カメラ１００の、被写体からの光束の光軸Ｌ１上であって、撮影光学系２７０の予定焦点面となる位置に固定されている。撮像素子１１０は、複数の光電変換素子が二次元に配列されたものであって、二次元ＣＣＤイメージセンサ、ＭＯＳセンサ又はＣＩＤなどで構成することができる。撮像素子１１０は、露光感度調整部１７０により、その露光感度を変更できるようになっている。この撮像素子１１０で光電変換された電気画像信号は、カメラ制御部１６０で画像処理されたのち図示しないメモリに保存される。なお、撮影画像を格納するメモリは内蔵型メモリやカード型メモリなどで構成することができる。
【００１６】
シャッタ１１１は、撮像素子１１０の手前に配置され、これにより、被写体からの光束（光軸Ｌ１）を制限するものである。シャッタ１１１は、シャッタスピード調整部１８０により、その開閉時間が制御される。
【００１７】
一方、クイックリターンミラー１２０で反射された被写体光は、撮像素子１１０と光学的に等価な面に配置された焦点板１３１に結像し、ペンタプリズム１３３と接眼レンズ１３４とを介して撮影者の眼球に導かれる。このとき、透過型液晶表示器１３２は、焦点板１３１上の被写体像に焦点検出エリアマークを重畳して表示するとともに、被写体像外のエリアにシャッタスピード、絞り値、撮影枚数などの撮影に関する情報に加え、撮影可能枚数などを表示する。これにより、レリーズしない状態において、ファインダ１３５を通して被写体及びその背景ならびに撮影関連情報などを観察することができる。
【００１８】
また、接眼レンズ１３４の近傍には、測光用レンズ１３６と測光センサ１３７が設けられ、焦点板１３１に結像した被写体光の一部を受光する。測光センサ１３７は、二次元カラーＣＣＤイメージセンサなどで構成され、撮影の際の露出値を演算するため、撮影画面を複数の領域に分割して領域ごとの輝度に応じた測光信号を出力する。測光センサ１３７で検出された測光信号はカメラ制御部１６０へ出力され、露出制御に用いられる。
【００１９】
操作部１５０には、シャッタレリーズボタンや撮影者がカメラシステム１の各種動作モードを設定するための入力部が含まれる。操作部１５０により設定された各種モードはカメラ制御部１６０へ送信され、当該カメラ制御部１６０によりカメラシステム１全体の動作が制御される。なお、各種モードについては後に詳述する。
【００２０】
ＡＦ補助光発生装置３００は、被写体輝度が低い場合に、被写体に補助光を照射することによってＡＦ（オートフォーカス）の精度を上げための装置である。図２は、カメラ１００におけるＡＦ補助光発生装置３００の部分の断面図であり、図３はＡＦ補助光発生装置３００の正面図である。図示するように、ＡＦ補助光発生装置３００は、カメラ１００のカメラボディ１０１に設けられた円形の開口部３１１内に配置されたＡＦ補助光発生部３２０と、開口部３１１を覆う円形の光透過部材３３０とを備える。
【００２１】
ＡＦ補助光発生部３２０は、ＬＥＤ（発光ダイオード）３２１と反射傘３２２とを有し、カメラ制御部１６０から発光信号を受信して、被写体への発光を行う。反射傘３２２は、ＬＥＤ３２１の発光を被写体に向けて反射するようにＬＥＤ３２１を覆うように配置されている。
【００２２】
光透過部材３３０は、ＡＦ補助光発生部３２０による発光を被写体へ射出可能とするために設けられる例えば透光レンズである。光透過部材３３０は、カメラ１００の開口部３１１に設けられた段部３１１ａにはめ込まれて保持されている。
【００２３】
光透過部材３３０の外縁部分には、温度センサ３４０が配置され、光透過部材３３０の外縁部分の温度を測定できるようになっている。温度センサ３４０は例えばサーミスタなどで構成することができる。この温度センサ３４０は、カメラ制御部１６０と電気的に接続されており、温度センサ３４０により測定した温度の情報はカメラ制御部１６０に送信される。
【００２４】
カメラ制御部１６０は、カメラ制御部１６０はマイクロプロセッサとメモリなどの周辺部品から構成されている。カメラ制御部１６０は、マウント部４００に設けられた電気信号接点部（図示省略）によりレンズ制御部２５０と電気的に接続され、このレンズ制御部２５０からレンズ情報を受信するとともに、レンズ制御部２５０へ絞り開口径などの情報を送信する。また、カメラ制御部１６０は、上述したように撮像素子１１０から画像情報を読み出すとともに、必要に応じて所定の情報処理を施し、図示しないメモリに出力し、撮影画像情報の補正やレンズ鏡筒２００の焦点調節状態、絞り調節状態などの検出も行う。
【００２５】
さらに、カメラ制御部１６０は、ＡＦ補助光発生装置３００への発光信号の送信や、温度センサ３４０による温度の情報の受信を行う。そして、カメラ制御部１６０は、温度センサ３４０により測定された温度に基づき、操作部１５０で設定されたＡＦ補助光発生装置３００の制御モードに応じたＡＦ補助光発生部３２０の発光制御を行う。
【００２６】
ここで、操作部１５０で設定されるＡＦ補助光発生装置３００の制御モードは、以下のようなモードである。
（１）「所定温度Ｔ１以上となった場合に強制的に発光禁止とするモード」、これは、光透過部材３３０が熱くなることを防ぎたい場合に選択される。
（２）「所定温度Ｔ２以上となった場合に発光量制限を実施するモード」、これは、光透過部材３３０が熱くなりすぎない程度なら多少の発光を継続したい場合に選択される。
（３）「所定温度Ｔ３以上となった場合にＡＦの方式を変更するモード」、これは、より発光量の少ないＡＦ方式に変更する場合に選択される。
（４）「発光制御を全く実施しないモード」、これは、合焦これらが熱くなりすぎてもよいから無制限に発光させたい場合に選択される。
【００２７】
ここで、（２）の「発光量制限を実施するモード」は、さらに以下のサブモードを有する。
（２−１）「光量を少なくするモード」
（２−２）「光を発生させる時間を短くするモード」。
（２−３）「光を常に発生させるのではなく光を断続的に発生させるモード」。
【００２８】
（３）の「ＡＦの方式を変更するモード」は、予め、カメラシステム１において種々のＡＦ方式のうち２つ以上の方式（制御方式）が選択されており、温度センサ３４０で検出される温度が閾値以上になったとき、選択されている２つ以上のＡＦ方式のうち最も温度上昇を抑えられるＡＦ方式に切り替えるモードである。種々のＡＦ方式としては、像鮮鋭度（コントラスト）方式、瞳分割位相差方式、パッシブ三角測距方式、アクティブ三角測距方式、アクティブ時間差方式などがある。
【００２９】
なお、（１）「所定温度Ｔ１以上となった場合には強制的に発光禁止とするモード」と、（２）「所定温度Ｔ２以上となった場合に発光量制限を実施するモード」又は「所定温度Ｔ３以上となった場合にＡＦの方式を変更するモード」とは、組み合わせて設定することもできる。
【００３０】
警告部３７０は、カメラ制御部１６０から発光制限、禁止信号又はＡＦ方式変更信号を受信した場合、警告手段（図示省略）に警告を発生させる。警告手段としては特に限定されないが、警告ブザーや、警告ランプなどが挙げられる。あるいは、警告部３７０から、直接、又はカメラ制御部１６０を介して、カメラ制御部１６０に警告信号を送信し、カメラ１００に備えられた液晶画面（図示省略）やファインダ１３５に警告表示を行うものであってもよい。
【００３１】
液晶画面やファインダ１３５に警告表示を行う場合においては、例えば、あと何回発光したら所定温度（上述のＴ１，Ｔ２，Ｔ３）以上となると予想される旨の表示をする方法等が挙げられる。この、あと何回発光したら所定温度以上となるかを算出する方法としては、例えば、次の方法が挙げられる。すなわち、カメラ制御部１６０に、温度センサ３４０により測定される温度と、その温度において発光した場合における上昇温度との関係を、予め記憶させておき、これを用いる方法が挙げられる。あるいは、ＡＦ補助光発生装置３００による発光を行った場合における、温度センサ３４０により測定された発光前の温度と、発光後の温度とを逐次記憶しておき、得られた結果から、このような関係を学習していく方法としてもよい。さらには、電源を入れて最初に発光装置を用いた撮影を行った際における温度センサ３４０により測定された発光による上昇温度を記録しておき、それを用いる方法なども挙げることができる。
【００３２】
次に動作を説明する。
（１）まず、「所定温度以上となった場合には強制的に発光禁止とするモード」が選択されている場合における動作を説明する。
カメラ制御部１６０は、温度センサ３４０から温度の情報を受信し、受信した温度センサ３４０により測定された温度と、ＡＦ補助光発生部３２０による発光を禁止するための予め設定された最大許可温度Ｔ１とを比較する。比較の結果、温度センサ３４０により測定された温度が最大許可温度Ｔ１以上である場合には、カメラ制御部１６０はＡＦ補助光発生部３２０による発光を禁止する。
【００３３】
この場合においては、撮影者によりレリーズボタンが押され、カメラ制御部１６０からカメラ制御部１６０にレリーズ信号が送信された際に、ＡＦ補助光を発光すべき場合であっても、ＡＦ補助光発生装置３００は発光しない。
【００３４】
ＡＦ補助光発生装置３００が発光しなくとも、被写体からの不十分な光により低精度であっても合焦を行うことができる場合は、低精度の合焦動作を行うようにしてもよい。
この場合、カメラ制御部１６０は、レンズ制御部２５０を介して絞り駆動部２４０を駆動し、絞り装置２２０を絞るように制御を行うこともできる。補助光発生部３２０の発光量が制限されると、合焦精度が落ちる可能性があるが、絞りを絞ることにより焦点深度が深くなるため、合焦ズレが生じにくくなるからである。
【００３５】
被写体からの光が不十分であって合焦を行うことができない場合は、手動でフォーカシングを行うことになる。この場合も、レンズ制御部２５０を介して絞り駆動部２４０を駆動し、絞り装置２２０を絞るように制御を行うようにしてもよい。
【００３６】
ＡＦ補助光発生部３２０による発光を禁止する際には、カメラ制御部１６０から警告部３７０に発光禁止信号を送信され、警告手段により撮影者に警告が発せられる。
【００３７】
一方、温度センサ３４０により測定された温度が、最大許可温度Ｔ１未満である場合、又は、一度最大許可温度Ｔ１以上となり、その後、自然冷却により、最大許可温度Ｔ１未満まで冷却された場合には、カメラ制御部１６０からの発光すべき旨の信号に応じて、通常通り、発光が行われる。
これにより、光透過部材３３０の外縁部分の温度が、最大許可温度Ｔ１を超える温度に上昇してしまうことを防止し、自然冷却により温度を適正温度に低下させることができる。
【００３８】
（２）「発光量制限を実施するモード」が選択されている場合においては、温度センサ３４０により測定された温度と比較する温度として、所定温度Ｔ２を用いる。そして、所定温度Ｔ２以上の温度が検出されると、ＡＦ補助光発生部３２０へ発光信号を送信する際に、ＡＦ補助光発生部３２０による発光量を制限する旨の信号を送信する。
ここで発光量の制限は、上述したように、操作部１５０における設定に応じて、（２−１）「光量を少なくするモード」、（２−２）「光を発生させる時間を短くするモード」、（２−３）「光を常に発生させるのではなく光を断続的に発生させるモード」の何れかである。そして、この場合も、光透過部材３３０の外縁部分における温度の上昇を緩和することができる。なお、ＡＦ補助光発生部３２０による発光量を制限する場合には、カメラ制御部１６０は警告部３７０に発光制限信号を送信する。
【００３９】
ＡＦ補助光発生部３２０による発光量が制限されると、カメラ制御部１６０において、補助光発生部３２０において通常の発光を行って明るい光を用いて高精度に合焦を行う第１制御から、補助光発生部３２０において発光量を制限してやや暗い光を用いて低精度に合焦を行う第２制御に切り替えられる。
この場合も、上記（１）と同様に、カメラ制御部１６０は、レンズ制御部２５０を介して絞り駆動部２４０を駆動し、絞り装置２２０を絞るように制御を行うこともできる。補助光発生部３２０の発光量が制限されると、合焦精度が落ちる可能性があるが、絞りを絞ることにより焦点深度が深くなるため、合焦ズレが生じにくくなるからである。
なお、「発光量制限を実施するモード」においては、温度センサ３４０により測定された温度が高い場合には、発光量の制限割合を増加させる等、温度センサ３４０により測定された温度に応じて、発光量の制限割合を変化させてもよい。
【００４０】
（３）「ＡＦの方式を変更するモード」が選択されている場合においては、温度センサ３４０により測定された温度と比較する温度として、所定温度Ｔ３を用いる。所定温度Ｔ３以上の温度が検出されると、ＡＦ補助光発生部３２０へ発光信号を送信する際に、ＡＦの方式を変更する旨の信号を送信する。なお、ＡＦ方式を変更する場合には、カメラ制御部１６０は警告部３７０にＡＦ方式変更信号を送信する。そして、２つ以上の予め選択されたＡＦ方式（制御方式）のうち最も温度上昇を抑えられるＡＦ方式に切り替えられる。
【００４１】
ここで、ＡＦ補助光発生部３２０による発光を制御するために用いられる、温度Ｔ１，Ｔ２，Ｔ３は、予めカメラ制御部１６０に設定しておき、これを用いてもよいし、あるいは、カメラ１００の操作部１５０により撮影者が設定できるようにしてもよい。撮影者が温度Ｔ１，Ｔ２，Ｔ３を設定する方法としては、撮影者が操作部１５０により温度Ｔ１，Ｔ２，Ｔ３を直接指定する方法や、撮影者が実際に発光装置に触った際に熱いと感じた時に、操作部１５を操作し、その温度を設定できるようにする方法などが挙げられる。
【００４２】
（４）「発光制御を全く実施しないモード」が選択されている場合には、カメラ制御部１６０は、発光の禁止・発光量の制限を行うことなく、ＡＦ補助光発生部３２０への発光信号の送信が行われる。
【００４３】
以上、本実施形態によれば、温度センサ３４０を、ＡＦ補助光発生装置３００の光透過部材３３０の外縁部分に設けるため、ＡＦ補助光発生装置３００に撮影者が触った際に体感する温度に相当する温度を測定することができる。
本実施形態では、この温度センサ３４０により測定された温度に基づき、ＡＦ補助光発生部３２０による発光の禁止、発光量の制限、又はＡＦ方式の変更を行い、これによりＡＦ補助光発生装置３００の温度を自然冷却により降下させることができ、その結果として、ＡＦ補助光発生装置３００の温度上昇を適切に制御することができる。
【００４４】
（第２実施形態）
図４は、第２実施形態に係るカメラシステム１のＡＦ補助光発生装置３００を示す正面図である。第２実施形態においてＡＦ補助光発生装置３００の光透過部材３３０は、カメラ１００のカメラボディ１０１に設けられた開口部３１１よりも大きく形成されている。そして光透過部材３３０は、ＡＦ補助光発生装置３００の前面において開口部３１１だけでなく、開口部３１１の周囲における一方の領域（本実施形態では開口部３１１よりも図中Ｘマイナス方向の領域）も覆っている。この、開口部３１１の周囲における一方の領域を覆う部分である延在部３１２に、温度センサ３４０が配置されている。
【００４５】
このように温度センサ３４０は、光透過部材３３０における開口部３１１を覆う領域でなく、開口部３１１の周囲における一方の領域を覆う延在部３１２に配置されているため、ＡＦ補助光発生部３２０から発生される発光の光路を妨げることがない。一方、光路を妨げることはないが、温度が上昇する光透過部材３３０上に配置されているので、光透過部材３３０の温度を測定することができる。
さらに、温度センサは、光透過部材の光が入射しない部分に備えられているので、直接光があたらない。このため、温度センサは、入射した光の影響を受けることなく、光透過部材の温度を正確に検出することができる。
（変形形態）
【００４６】
以上、説明した実施形態に限定されることなく、以下に示すような種々の変形や変更が可能であり、それらも本発明の範囲内である。
（１）例えば、上述の実施形態では、ＡＦ補助光発生装置３００がカメラ１００に一体となっている例について説明したが、ＡＦ補助光発生装置３００が、例えばカメラのボディと着脱可能な閃光装置に設けられていてもよい。
【００４７】
（２）また、上述の実施形態では、一眼レフデジタルカメラに本発明を適用した例について説明したが、本発明においては特にこれに限定されず、コンパクトカメラやビデオカメラ、スチルカメラ、携帯電話用のカメラ、銀塩フィルムを用いた一眼レフカメラなどのその他の撮影装置に本発明を適用してもよい。
【００４８】
（３）上述した実施形態では、温度センサ３４０により測定される温度が、温度Ｔ１、Ｔ２又はＴ３以上となった場合に、発光禁止、発光量の制限又はＡＦ方式の変更を行う構成としたが、カメラ制御部１６０は、これらの温度に到達する前に、あと何回発光可能かを予測しておき、予測した結果に基づき、予め発光量を制限する構成としてもよい。予め発光量を制限しておくことにより、所定温度に到達するまでの発光可能回数を増加させることができる。なお、予め発光量を制限する際には、所定温度に近くなるにしたがって、発光量の制限割合を増加させていく構成とすることが好ましい。また、あと何回発光可能かを予測する際には、上述した第１実施形態における、あと何回発光したら所定温度以上となるかを算出する方法と同様とすればよい。
【００４９】
（４）ＡＦ補助光発生装置３００の制御モードとして、上述したモード以外にも、例えば、「連写モードを禁止するモード」や「連写モードの連写スピードを低下させるモード」などを採用してもよい。撮影モードが連写モードとなっている場合には、ＡＦ補助光発生装置３００の発光回数も多くなる傾向にあるため、連写モードを禁止したり、連写スピードを低減することによっても、ＡＦ補助光発生装置３００の温度上昇を適切に制御することができる。
【００５０】
（５）また、上述の実施形態では、温度センサ３４０を光透過部材３３０外縁部分や、光透過部材３３０の横の部分に配置する例を示したが、光透過部材３３０及びカメラ１００のうち、ＡＦ補助光発生部３２０の発熱による温度上昇が測定できる箇所であれば、どこに設置してもよい。
なお、実施形態及び変形形態は、適宜組み合わせて用いることもできるが、詳細な説明は省略する。また、本発明は以上説明した実施形態によって限定されることはない。
【図面の簡単な説明】
【００５１】
【図１】第１実施形態に係る一眼レフデジタルカメラシステムを示すブロック図である。
【図２】第１実施形態のＡＦ補助光発生装置の部分の断面図である。
【図３】第１実施形態のＡＦ補助光発生装置の正面図である。
【図４】第２実施形態のＡＦ補助光発生装置の正面図である。
【符号の説明】
【００５２】
１：一眼レフデジタルカメラシステム、１００：カメラ、１１０：撮像素子、１６０：カメラ制御部、２００：レンズ鏡筒、２１０：レンズ郡、２２０：絞り装置、２５０：レンズ制御部、２７０：撮影光学系、３００：ＡＦ補助光発生装置、３２０：補助光発生部、３３０：光透過部材、３４０：温度センサ、３７０：警告部
【図１】
2010134112.tif 000003
【図２】
2010134112.tif 000004
【図３】
2010134112.tif 000005
【図４】
2010134112.tif 000006